(57)【要約】【課題】窓ガラス部材の損壊と不正侵入の検知、関係部署へ報知を行って居住者の安全と保障を簡便で正確な方法を提供する。【解決手段】ガラス部材に微小なＩＣチップを備えて、微弱電波を使ってガラス部材の状況を逐一データ発振する。送受信器を備えた無線集端装置を建物、車両等の要部において、無線集端装置と接続している情報通信網上にある各種ウェブサイトに報知する。ウェブサイトは、顧客通信用ウェブサイト、警備保障会社ウェブサイト、ガラス部材会社ウェブサイト、損害保険会社ウェブサイトが相互に連携して定期的補修と損害額の計算、不正侵入の検出、保険の支払いを顧客の手を煩わせないで迅速に行う方法を提供する。【選択図】  図１
2006079581.tif 000002
【特許請求の範囲】
【請求項１】
ガラス部材で構成された窓ガラス、人の出入り口、車両等のガラス構成部において、該ガラス部材にＣＰＵ，メモリ、送受信器、アンテナより成る電子回路をガラス部材に備えて、室内外に設置した無線アクセスポイントである集端装置からガラス損壊等の質問電波信号を発して、該電子回路はガラス部材情報を応答する手段を備え、
集端装置は、定期的にガラス部材にある電子回路に質問信号を送って異常の有無の確認をする手段、
集端装置は、微弱電波を送受信してガラス部材の損壊と不正侵入の検知をおこなう手段、
微弱電波の到達範囲内に集端部を設置して、監視を行う事を特徴とするガラス部材損壊検知と修復の方法。
【請求項２】
前記請求項１において、ガラス部材に備える電子回路は微小なＣＰＵで構成したチップであって、そのメモリ部にガラス部材の材質、形状、設置時の日付、特徴等を記憶する手段と、
外的な損壊と伴に定期的補修の時期を該集端装置より質問信号を送って、破損の程度と定期的メンテナンスに関する情報を報知する事を特徴とするガラス部材損壊検知と修復の方法。
【請求項３】
前記集端装置は、情報通信網と接続して、情報通信網上にあるガラス部材会社、警備保障会社、損害保険会社のウェブサイトが連携して、迅速に該ガラス部材に関する情報、データを相互に共有して処理を行う事を特徴とするガラス部材の損壊検知、修復と保険システム。
【請求項４】
自然災害、経時変化による損壊、不正侵入による破損を該情報通信網上に設たウェブサイトにて補修費の計算を行うサイトを備える手段、
保険ウェブサイトを設けて、補修と定期的なメンテナンス保険によって支払いをする手段を可能にした事を特徴とするガラス部材損壊検知と修復の方法。
【発明の詳細な説明】
【技術分野】
【０００１】  本発明は、窓ガラス部材等の破損と不正侵入の検出、及び本人への通報、警備システムと経時変化による破損、自然損壊の定期的な補修と修復、補修費用を負担する保険システムに関するものである。
【背景技術】
【０００２】  近年、生活様式の変化と伴に夫婦共働きが多くなってきた。従って家庭も留守がちであって子供を施設に付け足り預たり、一人にしておくことが多い。それに伴って、不正侵入による犯罪や事故も多くなってきた。今や、警察による警備体制では善良な市民を守れなくなってきた。又、近隣関係も希薄であって安心できない。家宅に係わらず、オフィス、店舗等の犯罪、盗難も多発しているのが現状である。【０００３】  一方、技術の進展は急速である。特にＩＴ（Ｉｎｆｏｒｍａｔｉｏｎ  Ｔｅｃｈｎｏｌｏｇｙ）とコンピュータの利用は底辺層に拡大した。さらに、携帯電話機の社会への普及は、凄まじい勢いで普及した。携帯電話機、パソコン、ＰＤＡ（ＰｅｒｓｏｎａＩ  Ｄｉｇｉｔａｌ  Ａｓｓｉｓｔａｎｔ）は、老若男女を問わず各人が所有するまでになった。一般にいうユビキタス（Ｕｂｉｑｕｉｔｏｕｓ）社会の到来である。ユビキタス・コンピューテングあるいは、ユビキタス・ネットワーキングともいう社会である。【０００４】  ユビキタス社会とは、どこにでもコンピュータの能力があって、インターネット（Ｉｎｔｅｒｎｅｔ）が付随して情報通信をサポートし、サービスの利便性が一層向上した社会を意味する。我々人類は、多方面に恩恵が受けられる技術である。【０００５】  それに微弱電波の利用が活発になってきた。ブルーツース（Ｂｌｕｅｔｏｏｔｈ）や赤外線通信ＩｒＤＡ（Ｉｎｆｒａｒｅｄ  Ｄａｔａ  Ａｓｓｏｃｉａｔｉｏｎ）を利用したホット・スポット（Ｈｏｔｓｐｏｔ）の普及も顕著である。これによって、屋内の情報通信は無配線で連絡できる。【０００６】  ホット・スポットは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：電気電子分野における国際規格を推進する国際電気標準会議）微弱電波を使った無線ＬＡＮである。ＩＥＥＥ８０２．１１ａの５，２Ｇｈｚと８０２．１１ｂの２，４Ｇｈｚが一般的に使われている。【０００７】  又、近年微小ＣＰＵを使ったＩＣタグが実用になった。ＩＣタグはＲＦＩＤ（Ｒａｄｉｏ  Ｆｒｅｑｕｅｎｃｙ  Ｉｄｅｎｔｉｆｙ  Ｄｅｖｉｃｅ：無線移動識別素子）チップともいう。微小な無線応答装置であって、内蔵アンテナを含んでいて１ｍｍ２程度で構成できる。２．５ＧＨｚ帯のものは、到達距離１．５メートルと短いがＵＨＦ（９５０〜９５６ＭＨｚ）帯のＩＣタグは、１０メートルと長いから本発明の実用化に有効である。【０００８】  ガラスの破損、不正侵入には単純な発信回路を付加するだけでも検出はできる。しかし、情報通信網を活用してきめ細かなサービスを迅速に顧客に提供するには、１ｍｍ２中にＣＰＵ，メモリ、アンテナを含んだ微小コンピュターチップのほうが情報量は莫大に多いから有利である。【０００９】  従って、インターネットのような情報通信網を組み合せて使えば顧客に満足させるサービスと安全を提供できる。従来の方法はガラスが破損する時の衝撃波や、ガラスに導電線を張って導電線の切断によって検知していた。いずれも情報通信網との連携は難しいので警報を発する程度であって、かつ誤動作も多く実用に至っていない。
【特許文献１】  特開  ２００２−１３３５３７
【特許文献２】  特開平１０−３２６３８５
【非特許文献１】日経コミュニケーション「世界に取り残される無線ＩＣタグ」２００４年８月１５日号
【発明の開示】
【発明が解決しようとする課題】
【００１０】  解決しようとする問題点の一つは、犯罪に対する予防と防衛、財産、生命の安全の確保である。ガラスの破損検出は従来技術で達成できる。問題は破損の程度と、不正侵入から人と財産を守ることにある。警報を発して周囲に知らせるだけでは、万全ではない。【００１１】  損害を最小限にするのと、修復を速く行うことが肝要である。それに犯人逮捕にも注力する必要がある。本発明では、情報通信網と一体となったガラス破損検知と修復、不正侵入者の追跡、逮捕に有力なシステムを提供する。【００１２】  さらに本発明では、被害にあっても損害を最小限に抑えるために保険会社と提携する。このガラス保険は、経時変化によったり、自然災害時にも適用される。かつ、定期的メンテナンスにも適用される。
【課題を解決するための手段】
【００１３】  本発明は、上記課題を解決するためにガラス部材上に微小ＩＣタグを添付する。この素子から定期的にパルス送信して集端装置（ＡＰ：Ａｃｃｅｓｓ  Ｐｏｉｎｔ）が受信して異常の程度を把握する。応答の定期的な質問を集端装置から発する。【００１４】  異常の程度は、受信パルスの変調度によって検知できる。異常が発生した場合には、直ちに公衆情報通信網を介して本人の携帯電話機、パソコンに異常の状態を知らせる。同時にガラス会社のサイトにも異常の程度が入力されて修復情報、金額が見積もられて本人にしらされる。保険会社にも通報されて保険加入の程度、被害状況に応じて保障の金額が被害者とガラス会社にも提示される。【００１５】  不正侵入等の犯罪が検出された場合は、警備会社、警察に通報して犯人の追跡と特定を行う。ガラス破損、異常検知、本人通報、ガラス会社、警備会社、保険会社と警察あるいは近隣への通報を一連のシステムで効率良くおこなって、顧客の損害を最小限にするのと顧客の安全と財産の確保を目的にする。
【発明の効果】
【００１６】  本発明のガラス破損検出装置は、簡単な透明体で構成したＩＣタグを添付するだけで達成できる。かつＩＣタグからのパルス変調幅、デューティ比によって破損個所と被害の程度を把握できる。【００１７】  集端装置にて破損を検知して、責任者あるいは所有者にインターネット等の情報通信網を活用して通知できる。かつ、不正侵入を検知した場合には、警備保障会社、警察に迅速に報知して犯罪の追跡と予防に効果をあげる。メンテナンスを早急に行うために、費用の見積、請求を財産の所有者にいち早く知らせて、保険会社より代金の支払いを行うから人の手を煩わさないから利便性と効率があがる。
【発明を実施するための最良の形態】
【００１８】  本発明は、ガラス部材で構成した窓ガラス、扉、ショーウインドー、ショーケース等の破損と不正侵入の検出と犯罪の予防をおこなって、財産と安全を確保する方法を提供するものである。かつ、ガラス会社の定期的メンテナンスを行う。ＩＣタグは、膨大な情報を貯えられるから、材料の履歴、形状、材質、設置年月日、施工者等各種情報が記憶されている。
【第１実施形態】
【００１９】  図１は、本発明によるガラス破損検出装置であるＩＣタグを備えたガラス部材を示す。本例では、ＩＣタグ付き窓ガラス部材の構成を示す。図において１は、ガラス部材であって、２は窓ガラスを固定するサッシ（枠体）である。
【００２０】  図１において、３はガラス破損の検知とガラス部材の材質、設置年月を記憶したＩＣタグ回路構成部、４、５である。図示していない集端装置５０３から給電微弱電波を発信しＩＣタグに備えてあるアンテナより電力を受信して３の回路構成部に電源を供給するシステムである。
【００２１】  ＩＣタグには、パッシブ型とアクティブ型がある。パッシブ型は、外部より誘導波、微弱電波によって電源を供給されて動作状態になる。アクティブ型は、ＩＣタグ自身に電源をもっていていつでも動作状態になる。３の回路構成に微小電池をもったり、１のガラス部材の一部にソーラセル（太陽電池）を備える。
【００２２】  ３の構成材料は、透明なマイラー状のフィルムであったり、透明体でなく微小なのでガラス部材の装飾用に、絵柄模様を貼り付けてその中に回路を埋込む方法もある。中央でなくガラス部材の隅でもよい。又、ガラス部材上に広告、注意書きの文字の中にＩＣタグを埋め込んでもよい。その応用は、装飾、広告、注意書きを兼ねて多様にある。
【００２３】  図２は、３のＩＣタグ構成の詳細を示す。２１は回路構成そのものであって、２２は、ＩＣタグ本体である。２１の内部構成の詳細は、図３に示す。２３は、送受信ようのループアンテナであって、１に何か異常が発生した時に、その状態を知らせる。２４は、給電用アンテナである。電源がなくなってきた時に給電用の微弱電波を送るように、終端装置５０３に知らせる。本例では、パッシブ型ＩＣタグを添付した構成である。
【００２４】  図２において、２５はソーラセルであって、２２のＩＣタグチップがパッシブ型の場合の電源である。１のガラス部材の片隅に置いておけばよい。大きさも数ｍｍ２で十分である。透明な材料で形成したものを使えばガラス部材上に貼っても見た目には、分からない。
【００２５】  ２６は、２２への給電線ある。２１の中、あるいは２２のチップの中にいれてしまえば２６も２５のソーラセルも外部に置く必要はない。
先に説明したように、アクティブ型であればこのような電源は、必要ない。
【００２６】  図３は、ＩＣタグチップの内部システム構成を示す。図において、３０３は、送受信用のループアンテナである。３０２は、送受信部のであって図５に図示してある終端装置５０３と交信する。３０４は、ＣＰＵで各種の演算制御を行う。
【００２７】  ３０５は、ＣＰＵの実行のためのプログラムメモリであって、３０６は、プログラム実行に当たって必要な演算、制御用のメモリである。３０７は、ＩＣタグチップの外とインターフェースを行うＩ／Ｏ部である。ここでは、３０８のインピーダンスと誘電率検知センサーと３０９の人の侵入を検知する赤外線焦電センサーを接続している。
【００２８】  なお、モニターカメラ、カメラ付携帯電話機を３０７に接続すれば、不正侵入を映像によって確実にとらえられる。２の窓枠に焦電センサーを取付ければ人が発生する人体の熱を赤外線でとらえて、侵入検知ができる。このようなセンサー、モニターをＩＣタグチップに入力できる。
【００２９】  ２９は、電源であって微小電池、フィルム電池あるいはコンデンサーでよい。コンデンサーの場合は、集端装置７０から送信される電源供給電波をアンテナ２７にて受信して２９のコンデンサーに電源を貯めておく。
【００３０】  ３０１は、データメモリである。３０７より取込んだ外部センサーのデータを格納したり、ＣＰＵはこのデータを使って演算して異常状態かどうか判断する。３１２は、電源を貯える電池であって、大き目のコンデンサー（キャパシター）でも用は足りる。
【００３１】  ２４は、給電ループアンテナである。終端装置５０３より微弱電力搬送電波を発信して２４で受けて、３１１の電力制御部より３１２の電池に貯め込む。この方法は、パッシブ型であるから３１２は、ソーラセルの必要はない。
【００３２】  ３０２のアンテナは、５０３との送受信とガラス部材の損壊を検知するセンサーでもある。ガラス部材が破損すれば、インピーダンス、誘電率は変化する。全壊してしまえば、両者の値は無限大になる。この変化を検出すれば異常値か正常値の判断ができる。
【００３３】  アンテナは、効率良く送受信して効率よくゲイン（利得）を得るためには、給電点で伝送線路とのインピーダンス整合を行う必要がある。等価回路よりアンテナのインピーダンスＺは、Ｚ＝Ｒ＋ｊ（ωＬ−１／ωＣ）で表される。Ｚの実数部であるＲは、放射抵抗Ｒａと損失抵抗ＲＬの和である抵抗成分として与えられる。
【００３４】  放射抵抗はエネルギーに対して有効であるが、損失抵抗はアンテナに供給されたエネルギーが熱損失として消費されるため、損失抵抗は小さいほうが好ましい。リアクタンス成分ｊ（ωＬ−１／ωＣ）はエネルギーに対して損失になる。
アンテナのゲインは、Ｒ（抵抗）とリアクタンス成分（ｊＸ）のＬ（インダクタンス）、Ｃ（キャパシタンス）の影響をうける。
【００３５】  図２に示したようなアンテナや棒状のモノポールアンテナは、アンテナの素子寸法が使用する周波数の１／４波長に等しいときは、リアクタンス成分ｊＸが０となっている。アンテナが使用したい周波数と共振している状態にある。このときのアンテナ給電点インピーダンスは、Ｚ＝Ｒである。
【００３６】  アンテナの素子寸法が使用する周波数の１／４波長よりも長い場合は、ωＬ＞１／ωＣとなり、＋ｊＸ（インダクタンス成分）をもっているため、アンテナの長さを短くする。アンテナの長さが決まっていて、長さを変えられないときには、直列に−ｊＸ（キャパシタンス成分）であるコンデンサを挿入すれば、リアクタンス成分をキャンセルできる。
【００３７】  周波数が１／４波長より短い場合は、ωＬ＜１／ωＣとなって、−ｊＸ成分をもっているため、アンテナを長くする。この場合もアンテナの長さを変更できないときには、直列に＋ｊＸ（インダクタンス成分）であるコイルを挿入すれば、リアクタンス成分をキャンセルできる。
【００３８】  本例のような応用では、図２のようにループ状にしてアンテナを構成できる。チップに実装する場合には、板状のパッチアンテナが多用される。平面的で小型、軽量コンパクトである。安定した利得が得られる。印刷できるから大量生産に向いている。直線偏波、円偏波が簡単に作れるという利点がある。周波数帯域が狭いという欠点もあるが、本例では微弱電波の周波数は、むしろ固定されているから使い勝手はよい。
【００３９】  ＲＦＩＤにおけるアンテナは超小型である。使用周波数が２．４Ｇｈｚのように高くなると電気的損失は、無視できない。ユビキタス用に各種の提案がされているが、ＲＦＩＤチップのように電子回路に究極のシンプルさを追求すると電子回路のインピーダンスにあわせた工夫が必要である。アンテナｍの絶対利得は、Ｈ（磁界）面、Ｅ面（電界）面の各々のビーム幅をθＨ、θＥすると、下記のように表される。
Ｇ［ｄＢｉ］＝（１０ｌｏｇ  ４１２５２／θＨ・θＥ）−２．１４
となる。
【００４０】  このようにアンテナ理論によって、最高の利得が得られる極小のパッチアンテナが構成できることがわかる。従って、アンテナのインピーダンスの変化を検知すればガラス損壊が分かるし、人の侵入の検出も容易にわかる。アンテナをセンサーと兼用させることが可能である。
【００４１】  図３は、２１のＩＣタグチップの内部構成を示す。３０１は、システムバスであって、３０２は、集端装置５０３との交信用のアンテナである。図２の２３と同じである。３０３は、微弱電波の送受信部であって、３０４は、極小に形成されたＣＰＵである。３０５は、ＲＯＭでプログラムが格納されている。
【００４２】  ３０６は、ＲＡＭであってＣＰＵの演算とプログラム実行に必要なメモリである。３０６は、Ｉ／Ｏ部である。ＩＣタグの外部とのインタフェース部である。３０８はインピーダンス、誘電率の変化を検知するセンサーで３０９は、赤外線、人が発生する熱を検知する焦電センサーである。極小のモニターカメラであってもよい。
【００４３】  ３０８は、本例では３０２のアンテナと兼用している。３１０は、データメモリであって、３０８、３０９のセンサーから入力したデータをもとにガラス部材の損壊の程度、場所の特定、侵入の検知を目的として演算データの格納をおこなう。
【００４４】  ３１１は、電源制御部であって、２４の給電アンテナから微弱電波によって、電源に電力を供給する。３１２は、電力を蓄える電池である。ソーラセルでもよいしキャパシタンスでもよい。ソーラセルの場合、ＩＣタグはアクテブ型になる。３１３は、集端装置と交信する微弱電波である。図示していないが、２４の給電ループアンテナにも３１３によって電力は搬送される。交信用電波と電力搬送波の周波数は異なる。
【第２実施形態】
【００４５】  図４は、本発明による第２実施形態を示す。本例は、集端装置５０３の内部構成４２３を詳細に示すものである。図において、４０１はインターネットのような情報通信網である。４０２、４０４、６０２乃至６０４は、情報通信網上にあるウェブサイトである。
【００４６】  ４０２は、クライアントとの通信を主にするサイトであって４２６は、その加入者線である。４０４は、携帯無線会社専用ウェブサイトである。６０２は警備保障会社の、６０３はガラス会社の、６０４は災害、損害保険会社のウェブサイトである。４０３は、携帯無線基地局であって４２０はその専用線である。４２１は、公衆携帯無線電波である。
【００４７】  ４２５は、家宅、オフィス、マンション、ビル等の屋内を示す。以下屋内の集端装置を中心に説明する。４０６は情報通信網と屋内との接点であるゲートウエイである。ゲートウエイは、通信プロトコル、データフォマット、アドレスなどが異なるネットワークを相互に接続する。
【００４８】  この４０６は、ＷＷＷ（Ｗｏｒｌｄ  Ｗｉｄｅ  Ｗｅｂ）サーバである方が好ましい。このサーバは、ゲートウエイの機能の他に自己ドメインによるインターネットへの情報提供もする。又ウイルス、不良メールを撃退するファイヤーウオールの機能をもっている。
【００４９】  ４２３は、集端装置であって、ＡＰ（Ａｃｃｅｓｓ  Ｐｏｉｎｔ）ともいう。以下集端装置の構成につき説明する。４０７は、４２３のシステムバスである。４１１は、ガラス部材に備えてあるＩＣタグへの質問器である送受信部である。ＩＣタグは、応答器をもっている。４２３は、定期的に質問をガラス部材になげかける。これに応じてガラス部材にあるＩＣタグ４２２は質問に答える。
【００５０】  ４２４は、集端装置４２３の送受信器４１１のアンテナである。４２３の筐体中にパッチアンテナを置いてもよいし、外部にバーアンテナ、アレイ状のアンテナを備えても良い。４１３は、演算装置であるＣＰＵであって４１４は、ＲＯＭである。４１５は、ＲＡＭであって４１６は集端装置の演算と各種センサー情報データを格納するデータメモリである。
【００５１】  ４１７は、ＬＡＮインタフェースで屋内、屋外の他のネットワークとの接続をおこなう。４１８は、他のネットワーク接続線のＬＡＮケーブルである。ここでは、ネットワーク４１９ｎｌ〜４１９ｎｍまで接続している。４０８は、集端装置４２３の異常検知部である。４２２からの応答信号を解析して異常か正常値かの判断をおこなう。緊急を要する場合は、４１０の無線装置、ＰＨＳによって本人、関係部署に連絡する。４０９は、公衆無線装置４１０のアンテナである。
【００５２】  他のネットワーク４１９も同様な機能があって、データは逐次集められて、４０６のゲートウエイ、サーバを介してウェブサイト４０２へ送られる。情報の内容に応じて６０２，６０３，６０４のサイトに逐一送られる。
【００５３】  集端装置４２３は、ガラス部材に備えたＩＣタグからの情報を収集して定期的なチェックを行っている。ＩＣタグがパッシブ型の場合は、電力搬送用微弱電波を送信してＩＣタグ回路内にある電池を充電する。逐一、ＩＣタグの応答から異常値を検出する。さらにガラス会社サイトからの情報によって定期メンテナンスの時期に達した事を、クライアントにも知らせる。クライアントからの要請があれば、すぐに作業を始める。
【００５４】  図５は、本実施例を屋内に実装した例を示す。５０１はオフィス、マンション、ビルディング等の建物である。５０２は、公衆無線網と交信用のアンテナである。５０３は図４の４２３であって、集端装置を示す。５０４は、公衆情報通信網と接続するターミナルアダプター（ＴＡ）である。
【００５５】  インターネット、電話網、ファクシミリ網である情報通信網４０１と接続している。５０５は、窓ガラス、５０６は、ドア、出入り口である。５０５、５０６の部材には、前記説明したようなＩＣタグを備えている。ビル内は、ホット・スポットになっていて、微弱電波４１２が交信する。
【第３実施形態】
【００５６】  図６は、情報通信網４０１と各種ウエブサイトとの連携について示す第３実施形態である。４０４は携帯電話会社の専用サイトであって、単なる音声、データ通信であれば６０１の通信回線のサイトを介して電話機等の通信端末機に接続機能である。４０５は、通信加入者に接続する加入者線である。
【００５７】  ６０２は、警備保障会社サイトである。４０４、６０１のサイトより通報があった場合には、異常値であるかどうか判断する。異常と判断されれば単にガラス部材の破損であれば、６０３のガラス会社のサイトで補修の準備をする。人の不正侵入、他人による違法な損壊であれば、警察に連絡をとって、犯人の特定をおこなう。被害状況を把握して６０３と損害保険サイト６０４に連絡する。
【００５８】  ６０３は、ガラス会社のサイトである。ガラス部材の設置時の年月日、形状、材質等はここで管理している。４０４、６０１よりガラス部材の損壊があったという情報を入力した場合、破損の程度、場所の特定をおこなって見積もりをクライアントに提示する。さらに設置した時より、時間の経過をチェックして定期的なメンテナンスをおこなう。
【００５９】  ６０４は、損害保険会社のサイトである。ガラス部材の損壊とそれに伴って、人が怪我をしたとか、器物の損害があった場合に保険を適用するためのサイトである。本例では、６０３のガラス加工会社と連携して定期的なメンテナンスの補償もおこなう。クライアントがこのような定期メンテナンスの保険、損害保険に入っていれば自動的に適用される。
【第４実施形態】
【００６０】  図７は、ガラス加工会社内のパソコン（ＰＣ）及びサーバのソフトウエア構造を示す。７１は、ソフトウエアの構造（ヒエラルキー）を示す。７２は、ソフトウエア全体を制御するＯＳ（モニター）である。７３は、ＨＴＭＬ、ＸＭＬ、ＪＡＶＡ等の言語である。
【００６１】  ７４は、実行プログラムを示す。クライアントが保険に入っていれば、事故があったときには、保険のプログラムが実行する。ガラス業者が加工、工事をしたときの年月、ガラス部材の構造、材質、工事の履歴の内容である。そして補修時のクライアントへの見積もりと精算のプログラムがある。
【００６２】  ７５は、物理層であって、インタフェース部である。通信Ｉ／Ｆは、情報通信網のサイト６０１を介して通信する。無線Ｉ／Ｆは、無線基地局のサイト４０４とのインタフェースである。ＬＡＮは、自社内のネットワークとのインンタフェースである。Ｉ／Ｏ部は、他の端末機器、ＰＣ，画像モニター、ＴＶ電話等との接続をおこなう。
【００６３】  図８は、本実施形態におけるガラス部材加工会社のネットワークシステムの一例である。８１は、ＷＷＷサーバであって、ファイヤウオールを兼ねている。一般には、情報通信網を介してここからホームページを閲覧できる。８２は、コンピュータネットワークのシステムバス、ＬＡＮであって、ここにＰＣ，サーバが接続されて相互に連携して動作する。
【００６４】  ８３は、ＨＤＤ（ハードデスク）等で構成されたデータベースである。クライアントのガラス部材の構造、材質、補修履歴、定期的メンテナンス情報等が記憶されている。８４は、サーバであって、クライアントからの依頼、問い合わせに答えたり、他のサイトとの連携をおこなう。
【００６５】  ８５は、モニターである。クライアントのガラス部材の損壊、破損、不正侵入を見ることができる。この場合、クライアントの家宅、オフィスにカメラが備えてあれば可能である。
【００６６】  図９は、ガラス部材の損壊の検出と各種ウェブサイトとの連携動作を示すフロー図である。Ｓ９０１は、何らかの原因でガラスが壊れたことを検知した。Ｓ９０２は、ガラス部材に備えてあるＩＣチップからの電波の応答をチェックする。Ｓ９０３は、定常の応答はなかった。
【００６７】  集端（ＡＰ）装置から質問電波を発して異常値のチェックを行う。Ｓ９０４で異常チェックの質問を発して何も発生していなければ、Ｓ９０１にもどる。異常が検知されれば、Ｓ９０５において破損個所の特定を行う。ガラス部材に備えているＩＣタグチップは、アドレスされているからどこの場所のガラス部材か特定できる。
【００６８】  Ｓ９０６では、ＩＣタグからきた電波を解析して、破損状態の分析を行う。全壊か部分的破損か、修復の程度と回復に要する費用、期間これらの査定は、前記６０３のガラス会社のサイトで計算する。
【００６９】  Ｓ９０７は、不正侵入があったかどうかチェックする。不正侵入であればＳ９０８において、警備保障会社のサイト６０２に通報される。警備保障会社によって、被害の程度と犯人の特定を行うと同時に警察にも通報する。クライアントに前記、モニターカメラを設置してあれば、警備保障会社のデータベースに侵入者の容貌、特徴が映し出される。
【００７０】  Ｓ９０９は、警備保障会社より携帯電話、通信端末機を介して本人、責任者に通報される。Ｓ９１１は、ガラス部材にあるＩＣチップからの応答信号の解析と分析をおこなう。Ｓ９１２は、解析結果を見て異常か正常かの判断をおこなう。誤動作とか、子供、ペット等のいたずらによることも考えられる。これらの判定をおこなう。
【００７１】  図１０は、破損の検知から補修、修復とクライアントへの見積り、代金の精算を含めたガラス部材業者、ガラス加工会社がおこなう一連のビジネスの流れを示したフロー図である。それに、損害保険会社の補償システムについて説明したものである。Ｓ１００１は、ガラス部材の破損アラームが発せられた。Ｓ１００２においてガラス部材業者のサイトで検知された。
【００７２】  Ｓ１００３は、データベースよりクライアントと場所の特定を行う。Ｓ１００４は、部材の破損の程度を把握する。Ｓ１００５は、データベースを検索してガラス部材の履歴、材質とうを調べる。Ｓ１００６は、部材の材料と設置状況、工法等を調べる。そしてＳ１００７では、見積額の計算を行ってＳ１００８において、クライアントに通知する。
【００７３】  Ｓ１００９は、見積を受領したクライアントの意向を聞く。クライアントが修復を希望すればＳ１０１０において、修理、修復をおこう。そしてＳ１０１１において修理代金の精算をおこなってクライアントより代金の入金をうける。
【００７４】  Ｓ１０１２では、少なくとも人為的な行為によって、破損したのではない。経時変化による自然損壊であった。このところを明確にしてＳ１００４にて破損の程度をチェックする。なおこの一連の動作は、サイトと前記ＩＣタグ、集端装置と微弱電波を活用したホット・スポットを使って、正確に、迅速に、人手を使わないで達成できるという特徴がある。
【００７５】  図１０は、図６に示してあるガラス会社、６０３と損害保険サイト６０４との連携によるガラス部材の修復と損害保険、定期的修復（メンテナンス）について説明したフロー図である。図においてＳ１１０１は、定期的なメンテナンスの時期にきたかどうかのチェックをおこなう。Ｓ１１０２は、定期的な補修かガラス部材が外的要因によって損壊したかどうか確かめる。
【００７６】  Ｓ１１０３は、外的な損壊であった。Ｓ１１０４は、さらに台風、風雨などによる自然破壊かどうかのチェックをおこなう。Ｓ１１０５は、自然破壊でなかった。不正侵入であった。Ｓ１１０６は、盗難のチェックをおこなって、Ｓ１１０７では、人に危害があったかどうか調べる。Ｓ１１０８は、以上の被害の程度を全てチェックする。
【００７７】  Ｓ１１０９は、被害があったので図６の警備保障サイト６０２から警備会社が警察に被害届を出す。当然、本人が直接警察に被害届をだしてもよい。Ｓ１１１０は、サイト６０４によって被害額の計算をおこなう。Ｓ１１１１では、加入している保険から適正額の支払いをクライアントにおこなう。顧客は、これから損壊したガラス部材の修復をおこなう。
【００７８】  あるいは、あらかじめサイト６０３と６０４と取り決めておいて、顧客の手を煩わせないで金銭の授受をおこなって、修復作業をおこうシステムにしておけば都合がよい。
Ｓ１１１２は、顧客が満足したかどうか確かめる。満足していなければ、Ｓ１１１０にもどって適正な支払い額を再審査する。
【００７９】  Ｓ１１１３は、ガラス部材の損壊は自然的なものであった。ガラス会社サイト６０３において保険の確認を行う。定期的なメンテナンスであればガラス部材のチェックを行って、自然損壊であってもＳ１１１４で補修、メンテナンスをおこなう。
【００８０】  Ｓ１１１５は、少なくとも他者による不正侵入による損壊ではなかった。身内、近隣の人による不注意による破損かもしれない。調査をおこなってＳ１１１６において保険金の支払いが可能かどうか調べる。
【００８１】  以上説明したように、損害保険会社とガラス会社が連携して、人的、自然災害と定期的なメンテナンスを行う。これによってクライアント、ユーザは煩わしい手続きを省略できて日常の作業効率は上がる。
【００８２】  以上説明したように、本発明ではガラス部材の損壊の検知、補修、定期的メンテナンスとその保険、保障システムについて述べた。建築物のガラス部材だけでなく自動車、鉄道車両、航空機にも適用できる。
【図面の簡単な説明】
【００８２】
【図１】  第１実施形態の構成を示した図である。
【図２】  同、構成の詳細を示した図である。
【図３】  同、内部システム構成を示した図である。
【図４】  第２実施形態の構成を示した図である。
【図５】  家宅、オフィス内の検出個所と集端装置の配置を示した図である。
【図６】  第３実施形態を示した図である。
【図７】  第４実施形態であるソフトウエア構成を示した図である。
【図８】  同、ウェブサイトの構成を示した図である。
【図９】  ガラス損壊検出と本人、関係部署に通報するプロセスを示すフロー図である。
【図１０】  ガラス損壊と修復のプロセスを示すフロー図である。
【図１１】  ガラス部材の定期メンテナンスと修復、保険システムに関するフロー図である。
【符号の説明】
【００８３】１、５０５              窓ガラス
２                      サッシ、枠体
３                      ＩＣチップ
２１                    ＩＣタグ
２２                    ＩＣ回路構成部
２３                    ループアンテナ
２４                    給電アンテナ
２５                    ソーラセル、電池
２６                    給電線
３０１                  ＩＣタグチップ内システムバス
３０２                  微弱電波送受信アンテナ
３０３                  送受信器
３０４、４１３          ＣＰＵ
３０５、４１４          ＲＯＭ
３０６、４１５          ＲＡＭ
３０７                  入出力（Ｉ／Ｏ）制御部
３０８                  インピーダンス検知センサー
３０９                  焦電センサー、熱線検知器、人体検知器
３１０、４１５          データメモリ
３１１                  電源制御部
３１２                  電源、電池、キャパシタンス
３１３，４１２          微弱電波
４０１                  情報通信網、インターネット網
４０２                  通信ウェブサイト
４０３                  携帯電話無線基地局
４０４                  携帯電話会社ウェブサイト
４０５                  集端装置内通信線
４０６                  ＷＷＷサーバ
４０７                  集端装置システムライン
４０８                  異常検知器
４０９、５０２          公衆無線アンテナ
４１０                  無線電話機
４１１                  集端装置送受信器
４１７                  ＬＡＮインタフェース
４１８                  ＬＡＮケーブル
４１９                  ＬＡＮネットワーク
４２０                  携帯電話会社専用線
４２１                  携帯電話無線電波
４２３、５０３          集端装置（Ａｃｃｅｓｓ  Ｐｏｉｎｔ）
４２４                  集端装置送受信部アンテナ
４２５、５０１          オフィス、家宅、屋内
４２６                  通信線、加入者線
５０４                  ターミナルアダプター（ＴＡ）
５０６                  ドア、出入口
７１                    ソフトウエア・アーキテクチャ
７２                    ＯＳ
７３                    中間言語
７４                    応用プログラム
７５                    インタフェース部
８２                    サイト内バスライン
８３                    データベース
８４                    サーバ
８５                    ＰＣ，モニター
【図１】
2006079581.tif 000003
【図２】
2006079581.tif 000004
【図３】
2006079581.tif 000005
【図４】
2006079581.tif 000006
【図５】
2006079581.tif 000007
【図６】
2006079581.tif 000008
【図７】
2006079581.tif 000009
【図８】
2006079581.tif 000010
【図９】
2006079581.tif 000011
【図１０】
2006079581.tif 000012
【図１１】
2006079581.tif 000013